(57)【要約】【課題】作動軸の軸部の周面に圧接して、回転方向に付勢するバネ板のバネ性が、対向して作動軸の軸部に圧接する作動片自体のバネ性から得られるようにして、側面視においてコの字型に屈曲成型するバネ板の屈曲部の耐久性を向上させ、かつ、このコの字型に成形するバネ板に対する作動軸の組み付けが簡単に行えるようにする。【解決手段】開閉蓋ｃの開閉を制御するヒンジ装置のバネ板４の一対に対向する作動片４ａ・４ａを、それの長手方向の中間部が対向側に弧状に張り出すようアーチ状に彎曲成形して、それら弧状の作動片４ａ・４ａの張出部が作動軸２の内端側の軸部２２の周面に圧接するように作動軸２と組み合わせ、バネ保持部材３には、これに保持せるバネ板４の一対の作動片４ａ・４ａの外周側となる部位に、弧状の作動片４ａ・４ａの遊端側をスライド自在に支承する支承面３ａを設ける。【選択図】　　　　図２１
2004068937.tif 000002
【特許請求の範囲】
【請求項１】
バネ性を具備する金属板を屈曲成形して座板状の主体部４ｂの周縁から一対の作動片４ａ・４ａが屈曲して突出する側面視においてコの字型に形成するバネ板４と、このバネ板４を組み付け保持せしめるバネ保持部材３と、外端側に電気機器のボディａに組み付ける開閉蓋ｃの回動軸部に嵌合する角柱状の軸部２１を設け内端側に前記バネ板４の一対に対向する作動片４ａ・４ａの対向間隔内に位置してそれらに周面を圧接さす角柱状の軸部２２を設けた作動軸２と、を具備しこれらを組み合わせて開閉蓋ｃの開閉を制御するヒンジ装置において、バネ板４の一対に対向する作動片４ａ・４ａを、それの長手方向の中間部が対向側に弧状に張り出すようアーチ状に彎曲成形して、それら弧状の作動片４ａ・４ａの張出部が作動軸２の内端側の軸部２２の周面に圧接するように作動軸２と組み合わせ、バネ保持部材３には、これに保持せるバネ板４の一対の作動片４ａ・４ａの外周側となる部位に、弧状の作動片４ａ・４ａの遊端側をスライド自在に支承する支承面３ａを設けることを特徴とするハンディ式電気機器における開閉蓋のヒンジ装置。
【請求項２】
バネ保持部材３を、内部に空室を具備する中空の角筒状に成形し、これにバネ板４を、それの一対に対向する弧状の作動片４ａ・４ａが内部の空室内において一対に対向するよう組み付け、かつ、バネ保持部材３の後端側には、蓋板３３を設け、これに空室内に突出する支軸３４を設け、この支軸３４に作動軸２を回動および軸方向の摺動自在に組み付け支架せしめて、バネ保持部材がケースとなるようにすることを特徴とする請求項１記載のハンディ式電気機器における開閉蓋のヒンジ装置。
【請求項３】
作動軸２の内端側の角柱状の軸部２２を、それの周面の各周面が、それぞれ突出端に向け次第に巾を縮小させる先細りのテーパー状に成形することを特徴とする請求項１記載のハンディ式電気機器における開閉蓋のヒンジ装置。
【請求項４】
バネ板４の一対に対向する弧状の作動片４ａ・４ａの各遊端部の巾方向の一部に、外周側に突出するランス４１を設け、バネ保持部材３の内部の空室の天井部および底板部に設ける支承面３ａには、バネ板４の一対の作動片４ａ・４ａをバネ保持部材３の内部の空室内に差し込んで主体部４ｂをバネ保持部材３前端面に当接させた状態においてランス４１と対応する部位に、そのランス４１を嵌入させる切欠部３ｃを形設することを特徴とする請求項１記載のハンディ式電気機器における開閉蓋のヒンジ装置。
【請求項５】
バネ板４の一対に対向する弧状の作動片４ａ・４ａの遊端部に、バネ保持部材３の内部の空室の天井部および底板部に設ける支承面３ａにスライド自在に衝合すする支え部４０を設けることを特徴とする請求項１記載のハンディ式電気機器における開閉蓋のヒンジ装置。
【発明の詳細な説明】
【０００１】
【発明が属する技術分野】
本発明は、ノート型パソコン・携帯電話等のハンディ式の電気機器において、機器の本体に対し開閉回動自在に組み付ける開閉蓋を、開放状態位置と閉鎖状態位置との二つの状態位置に切り換えて保持せしめるように、その開閉蓋の軸支部に装備するヒンジ装置についての改良に関する。
【０００２】
【従来の技術】
上述のハンディ式の電気機器におけるヒンジ装置の従前のものは、最も典型的な手段である携帯電話器に装備されるフリップを開閉自在に組み付ける軸支部に組み込むヒンジ部材について具体的にいえば、図１にあるように携帯電話器Ａのボディａに並列させた多数の押釦式のスイッチＳＷ…を組み付けることで装設する操作部ｂは、その携帯電話器Ａを、例えば、衣服のポケットに入れて収納しておいたときに、外部からの接触圧でスイッチＳＷが操作されるようになることを避けるため、フリップと呼ばれる開閉蓋ｃを、ヒンジ部材ｄによりボディａに開閉自在に軸支しておいて、通話の使用がないときには、この開閉蓋ｃにより操作部ｂを覆い込んでスイッチＳＷ…の操作が行われることのないようにしている。
【０００３】
そして、この開閉蓋ｃを軸支するヒンジ部材ｄは、図２にあるように、金属板で四角な角筒状に成形したケース１と、樹脂材により円盤状のフランジ２０の前後の両面に四角な角柱状の軸部２１・２２がそれぞれ突出する形状に成形されて、それの前面側に突出する角柱状の軸部２１が前記ケース１の前壁１ａに開設した透孔１０から突出する状態においてケース１内で回転するアクチュエータ（作動軸）２と、合成樹脂材によりキューブ状に成形されて、それの前端面に、前記作動軸２の後面側の軸部２２の軸芯部位に開設される中心穴に嵌合してその作動軸２を回転自在に支承する支軸３０が突出し、上下の両面にはバネ板４の組付部３１が形成されるバネ保持部材３と、バネ性を具備する金属板を側面視において先細りのコの字型に成形して前述のバネ保持部材３の外周面に組み付け保持させるバネ板４と、これら作動軸２とバネ保持部材３とバネ板４とを図３にあるように組み合わせて角筒状に形成してあるケース１内に挿入し、そのケース１の後端側に形設してあるラグ片１ｂ・１ｂの折曲げによるかしめ付けで図４にあるようにケース１内に組み込んだときに、作動軸２の前面側の軸部２１がケース１の透孔１０から突出するように押し出すテーパ状のコイルバネ５とで構成し、これらにより図５にあるようにヒンジ部材ｄに組み立て、このヒンジ部材ｄを、携帯電話器Ａのボディａに設けておく角穴ｅ内に挿入し、そこから突出してくる前述の作動軸２の前面側の角柱状の軸部２１を、開閉蓋ｃの基端側に形設しておく角穴（図示省略）に嵌合させることで、その開閉蓋ｃを開閉回動自在に軸支するようにしてある。
【０００４】
そして、このヒンジ部材ｄは、開閉蓋ｃを開放回動させると、その開閉蓋ｃに設けた角穴に、ケース１から突出している作動軸２の前端側の角柱状の軸部２１が嵌合していることで、この作動軸２がアクチュエータとして開閉蓋ｃと一体に回動するようになり、これにより、作動軸２の後端側の角柱状の軸部２２が、バネ保持部材３に組み付けてある側面視で先細りのコの字型をなすバネ板４の、一対に対向する作動片４ａと作動片４ａとの間において、それら作動片４ａ・４ａのバネ圧を受けながら回転するようになる。
【０００５】
これにより、開閉蓋ｃが閉鎖位置にあるときに、作動軸２の内端側の角柱状の軸部２２の四つの周面のうちの対向する二つの面に対して、一対の作動片４ａ・４ａが圧接してその作動片４ａ・４ａのバネ圧により軸部２２をその状態位置に保持しているとすると、開閉蓋ｃを開放させる回動の初期においては、角柱状の軸部２２が、それの距離の長い対角線上において対向する稜と稜とで作動片４ａ・４ａの間隔を拡げながらその作動片４ａ・４ａに圧接するようになっていくことによりバネ圧に抗して回動するようになって、その開放回動の進行で、軸部２２の周面と作動片４ａ・４ａとの接触点となる軸部２２の対向する稜と稜とが死点越えしたところで、作動片４ａ・４ａのバネ圧が開閉蓋ｃを開放側に付勢するように働いて、開閉蓋ｃを開放させるようになり、その作動片４ａ・４ａが、作動軸２の内端側の軸部２２の対向する二つの面に圧接した状態において開放回動を停止させ、その状態位置に保持するようになる。
【０００６】
そして、開放した開閉蓋ｃをさらに開放側に強く回動させると、作動軸２の内端側の軸部２２が対向する作動片４ａ・４ａの間隔を拡げるようになってバネ圧が働き、そのさらなる開放側への負荷を解放することで、バネ圧により開放位置に復元していくようになる。
【０００７】
また、開放状態位置にある開閉蓋ｃを閉鎖側に回動させると、その初期においては、作動軸２の内端側の軸部２２が一対の作動片４ａ・４ａの間を押し拡いていくことでバネ圧の抵抗を受けるが、その内端側の軸部２２の対向する稜が作動片４ａ・４ａに対し死点越えしたところで、バネ圧により閉鎖側に回動するようになって、そのバネ圧で閉鎖されるようになる。
【０００８】
ケース１から突出する作動軸２の前面側（外端側）の軸部２１は、それを押し込むと、バネ板４およびそれを組み付けたバネ保持部材３と一緒に、ケース１内に向けテーパー状のコイルバネ５を押し縮めながらケース１内に没入していくようになるが、この押し込み作動は開閉蓋ｃを携帯電話器Ａのボディａに組み付けるときに行うもので、開閉蓋ｃを組み付け後においては、突出した状態位置に保持されるものである。
【０００９】
【発明が解決しようとする課題】
上述のヒンジ部材ｄは、作動軸２により開閉回動するよう軸支した開閉蓋ｃを、作動軸２に作用させるバネ板４により閉鎖側に回動させる状態と開放側に回動させる状態とに切り換えて付勢するのに、作動軸２の内端側の軸部２２を、四角な角柱状に形成しておいて、それの四つの周面のうちの一対に対向する周面に、側面視において先細りのコの字型に成形したバネ板４の一対に対向する作動片４ａ・４ａの各遊端側を、圧接させておいて、その作動片４ａ・４ａの遊端側が軸部２２の周面を押圧するバネ圧によって、作動軸２を、それの軸芯線中心に回転させるようにすることから、このバネ板４のバネ圧が、主として、コの字型に折曲げ成形してあるバネ板４の主体部の上下の端部から、上下に一対の各作動片４ａ・４ａに向けて屈曲する屈曲部における曲げのバネ性によって生成されることになり、耐久性が低く、また、作動片４ａ・４ａ自体のバネ性は殆ど利用できないものとなっていることで、バネ圧が弱い問題がある。
【００１０】
このため、バネ圧を強くして、開閉蓋ｃの開放回動がスナップアクション式にシャープに行われるようにするためには、バネ板４を何層にも重ねるようにしなければならず、製作が面倒な問題がある。
【００１１】
また、作動軸２とバネ板４とを組み合わせて組み立てるときに、作動軸２の内端側の軸部２２の周面が、一対の作動片４ａ・４ａの対向する間隔内において、それら作動片４ａ・４ａにより強く挟持された状態となるように、その内端側の軸部２２を一対の作動片４ａ・４ａの間隔内に嵌装させるようにするが、このとき、狭い間隔で対向している作動片４ａ・４ａの遊端側の間隔内に対して、その間隔よりも当然に太い寸法に形成してある作動軸２の内端側の軸部２２を嵌め込むのがむづかしいことで、組み立て作業が厄介な問題がある。
【００１２】
また、ヒンジ部材ｄを組み立てるのに、角筒状のケース１と、作動軸２と、バネ保持部材３と、コの字型に屈曲成型したバネ板４と、テーパー状のコイルバネ５との少なくとも５つの部品を要することで、部品点数が多く製作・組み立てを面倒にしている問題がある。
【００１３】
本発明は、従前手段に生じているこれらの問題を解決するためになされたものであって、作動軸の軸部の周面に圧接して、回転方向に付勢するバネ板のバネ性が、対向して作動軸の軸部に圧接する作動片自体のバネ性から得られるようにして、側面視においてコの字型に屈曲成型するバネ板の屈曲部の耐久性を向上させ、かつ、このコの字型に成形するバネ板に対する作動軸の組み付けが簡単に行えるようにし、しかも、部品を少なくする新たな手段を提供することを目的とする。
【００１４】
【課題を解決するための手段】
この目的を達成するために、本発明においては、まず、バネ性を具備する金属板の屈曲成型により側面視においてコの字型に成形するバネ板の、一対に対向する作動片のバネ性を、強くしながら耐久性のあるものとし、かつ、作動軸の内端側の軸部との嵌合組み付けを容易にするための手段として、このバネ性を具備する金属板から屈曲成型して形成するコの字型のバネ板は、それの一対に対向する作動片を、それの長手方向の中間部位が対向側に弧状に張り出すようアーチ状に彎曲した形状に形成して、そのアーチ状の作動片の長手方向の中間の張出部を作動軸の内端側の角柱状の軸部の周面に圧接させるようにし、このバネ板を、組み付け保持せしめるバネ保持部材には、組み付けたバネ板の一対の作動片の外周側に、その作動片の遊端側をスライド自在に支承する支承面を設けておいて、弧状の作動片が、それのバネ板の主体部に連続する基端側の屈曲部と支承面に圧接する遊端側との２点により支承されて、作動軸の内端側の角柱状の軸部により弧状の作動片の中間の張出部が押圧されたときに、この弧状の作動片が平板状に潰されるよう変形しながら伸び出すようになって、弧状の作動片自体のバネ性を発揮するようになり、また、このバネ板を、それの一対に対向する作動片の対向間隔内に、作動軸の内端側の角柱状の軸部が位置しているようにその作動軸と組み合わせるときの組み付け作業が、作動軸の内端側の軸部を、アーチ状の作動片の対向間隔内に、間隔が拡いている遊端側から差し込んでいくだけで簡単に行えるようになる手段を提起するものである。
【００１５】
また、コの字型のバネ板と角柱状の作動軸の軸部とを組み合わせて組み立てるヒンジ部材の部品点数を少なくするため、コの字型に屈曲成型したバネ板を組み付け保持せしめるバネ保持部材を、合成樹脂材により角柱状の立方体に成形して、これにコの字型に成形したバネ板を組み付け保持せしめるようにし、かつ、組み付けるコの字型のバネ板は、それの一対に対向する作動片が、このバネ保持部材の内部に形設しておく空室内において対向して、その空室内に収蔵される作動軸の内端側の軸部の周面に圧接していくようにすることで、このバネ保持部材が、角筒状のケースを兼ねたものとして、角筒状のケースを省略して部品点数を少なくする手段を提起するものである。
【００１６】
さらに、角柱状に形成して、コの字型に成形したバネ板の一対の作動片の対向間隔内に配位する作動軸の内端側の角柱状の軸部を、それの周囲のそれぞれの周面が、それぞれ突出端に向け次第に巾を縮小させるよう先細りのテーパー状に成形して、この先細りの角柱状の軸部の周面に、コの字型のバネ板の一対の作動片が、それの具備するバネ圧で、圧接してきたときに、その軸部の周面に対し圧接する作動片の接触部位に加えられるバネ圧により、テーパー状をなす作動軸の内端側の軸部を絞り出すように軸方向に動かすようにし、これにより、作動片の接触部位が先細りの軸部の小径側に位置してくることで、作動軸の外端側の軸部が、バネ保持部材から作動軸が外端側に向けて押し出されて、その作動軸の外端側の軸部がバネ保持部材の外端側から突出する状態となり、この突出してきた作動軸の外端側の軸部を、作動片による押出方向のバネ圧に抗して押し返すことで、その作動軸の内端側の軸部の周面に対する作動片の接触部位が、テーパー状の軸部の拡径側に動いて、作動軸を押し込まれた状態となるようにして、作動軸をそれの外端側の軸部が突出する状態位置に押し出すために作用させていたテーパー状のコイルバネを省略し得るようにする手段を提起するものである。
【００１７】
【発明の実施の形態】
次に本発明の実施の態様を説明する。
本発明手段によるハンディ式の電気機器における開閉蓋の軸支部に装備せしめるヒンジ部材ｄは、基本的には、図６に示しているように、バネ性を具備する金属板を折曲げ成形して側面視においてコの字型をなす形状に形成するバネ板４と、このバネ板４を組み付け保持せしめるように合成樹脂材で成形するバネ保持部材３と、外端側には開閉蓋の回動軸部に対して嵌合して連結する軸部２１を具備し内端側には角柱状の軸部２２を具備する形状に形成する作動軸２と、を用い、これらを、バネ保持部材３にバネ板４を組み付け保持せしめ、そのバネ板４の一対の作動片４ａ・４ａの対向間隔内に作動軸２の内端側の軸部２２が位置して作動片４ａ・４ａのバネ圧を受けるように組み合わせ、作動軸２がそれの外端側の軸部２１と嵌合連結する開閉蓋ｃの回動によりその開閉蓋ｃと一緒に回動したときに、作動片４ａ・４ａに対し接触する内端側の角柱状の軸部２２の稜と周面との角度が変動することで、作動片４ａ・４ａからのバネ圧により作動軸２が受ける回転方向の付勢の方向が正逆に変わって、開閉蓋ｃを開放回動の方向と閉鎖回動の方向に切り換わるようにすることについては、従来手段のヒンジ部材ｄと同様に構成する。
【００１８】
しかし、バネ性を具備する金属板からそれを所定形状に打ち抜いて屈曲成形することで側面視においてコの字型をなす形状に形成するバネ板４は、それの座板状に形成する主体部４ｂの対向する辺縁部から屈曲させて一対に対向するように形成する作動片４ａ・４ａを、図６の右端側に示しているように、それの突出方向となる長手方向の中間部位が、対向側に弧状に張り出すようアーチ状に彎曲させた形状に成形する。
【００１９】
この作動片４ａ・４ａの彎曲成形は、作動片４ａ・４ａの長手方向の全域がアーチ状になるようにする場合に限らず長手方向の中間部位がアーチ状になるようにしてよい。
【００２０】
また、図７乃至図１０に示している実施例にあるように、座板状に形成した主体部４ｂの上下の辺縁から、それぞれループ状の屈曲部４ｃを経て、ゆるく主体部４ｂの内側（図８において右側）に向け屈曲させ、その屈曲部４ｃから突出端となる遊端に至る間を、対向側に弧状に張り出すアーチ状に彎曲する形状に成形することが望ましい。
【００２１】
このとき、作動片４ａ・４ａの遊端となる突出側の端部は、ほぼ屈曲部４ｃに対応する高さ位置を占め、この状態において長手方向の中間部が、それぞれ弧状に対向側に張り出して、その弧状の張出部が、前述の作動軸２の内端側の軸部２２の径よりも狭くした間隔で一対に対向するように成形することが有効である。
【００２２】
そして、この弧状に彎曲するよう成形する作動片４ａ・４ａの遊端側には、水平な方向に突出する支え部４０を装設するようにする。この支え部４０は、バネ板４を図２９〜図３１にあるようにバネ保持部材３に組み付け保持せしめたときに、この支え部４０が、作動片４ａ・４ａの外周側に位置させてバネ保持部材３に形設しておく支承面３ａにスライド自在に当接して、アーチ状の作動片４ａを屈曲部４ｃとこの遊端側の支え部４０との二点で支えるようになって、弧状の張出部に負荷がかかり、作動片４ａの弧状の張出部の全体が潰されるように変形したときに、この支え部４０が支承面３ａ上をスライドして作動片４ａを突出方向に伸び出させ、これにより、作動片４ａ自体のバネ性を効果的に発揮させるようにする。
【００２３】
このバネ板４を組み付け保持せしめるバネ保持部材３は、合成樹脂材により、図６の左端側に示しているように、前面側が開放する中空の筒状に成形して、これに組み付け保持せしめるバネ板４の一対の作動片４ａ・４ａがこのバネ保持部材３の内部に形成して空室内に収蔵されるようにする。
【００２４】
このバネ保持部材３に対するバネ板４の組み付けは、従前手段のものと同様に、コの字型に形成したバネ板４を、それの屈曲部４ｃのバネ性を利用してかしめ付けるなどの適宜の手段で行ってよい。図１１乃至図３２に示している実施例のバネ保持部材３においては、それの前面側（図１２において左面側）の開放口の口縁部位に、バネ板４の座板状に形成した主体部４ｂが嵌合する凹部３ｂを、図１１にあるようその主体部４ｂの輪郭形状に対応する形状に形成しておいて、バネ板４を、それの一対の作動片４ａ・４ａが先になる姿勢として、その作動片４ａ・４ａをバネ保持部材３の前面側の開放口から挿し込んでいき、それにより、バネ保持部材３の前端面に衝合するバネ板４の座板状の主体部４ｂをこの凹部３ｂに嵌合させることで、組み付け保持が行われるようにしている。
【００２５】
そして、この例においては、作動片４ａ・４ａの遊端側で、作動片４ａ・４ａの巾方向の中間部位に外周側に突出するランス４１が、作動片４ａを形成する金属板から切り起こすように形設してあって、作動片４ａ・４ａが、図１１乃至図１４にある形状に成形してあるバネ保持部材３の内腔に差し込まれて、それの遊端部のランス４１がバネ保持部材３の内腔の天井部と底板部とに、作動片４ａ・４ａの外周側に対向するよう形設してある支承面３ａ・３ａに圧接してそこを摺動しながらバネ保持部材３の内腔の後部側に向け挿し込まれていくとき、支承面３ａの後端側に形設してあるランス４１に対応する巾の切欠部３ｃ・３ｃに達したところで、この遊端部のランス４１が切欠部３ｃ内に落ち込み、弧状の作動片４ａ・４ａがそれに付与してあるバネ性により遊端部に形設してある支え部４０が支承面３ａに衝合するまで外周側に拡くことにより、この遊端部に形設してある前述のランス４１が、図１５にあるように、支承面３ａに形設した切欠部３ｃの前縁に係止することで脱出が阻止されて、バネ板４のバネ保持部材３に対する組み付け保持が完了するようにしてある。
【００２６】
これによるバネ板４のバネ保持部材３に対する組み付けは、さらに、作動軸２を組み付けて、ヒンジ部材ｄに組み立て、作動軸２を回転させて内端側の軸部２２の回動により、それの周面に圧接する弧状の作動片４ａ・４ａの張出部が押し込まれたとき、図２１・図２５・図２９にあるように、作動片４ａが平に押し潰されていくことで長手方向に伸び出すことによりランス４１が支承面３ａの後端側に設けた窓穴状の切欠部３ｃの前縁から離れるようになることから、ヒンジ部材ｄに組み立てた状態においては仮とじの状態ではあるが、この実施例においては、バネ保持部材３がケース１を兼ねた形態としてヒンジ部材ｄを組み立て、ケース１を省略した構成として、バネ保持部材３に組み付けたバネ板４の座板状の主体部４ｂがヒンジ部材ｄの前端面（外端面）に位置し、この主体部４ｂに設けた透孔４２から作動軸２の外端側の軸部２１が突出するようにしてあることから、組み立てたヒンジ部材ｄを、電気機器である携帯電話器Ａのボディａに設けてある角穴内に挿入して、そのヒンジ部材ｄの外端側に突出する作動軸２の外端側の軸部２２を、ボディａにする開閉蓋ｃの回動軸部に設ける角穴に嵌合して連結したとき、ヒンジ部材ｄの外端面に位置するバネ板４の座板状の主体部４ｂが、開閉蓋ｃの回動軸部の端面に当接して、軸方向に動かないよう押さえられるようになるので、弧状の作動片４ａ・４ａが作動軸２の内端側の軸部２２の回動により押し潰される方向の荷重を受けても、それにより脱出方向に動くことはなく、組み付けた状態に保持され、従って、前述の仮とじの状態が、ヒンジ部材ｄの組み付けにより本とじの状態となる。
【００２７】
バネ保持部材３は、前述した如く、前面側（外端側）に開放口を具備する中空の筒状に成形し、それの内部に形成される空室の天井部および底壁部に、該バネ保持部材３に組み付け保持せしめるバネ板４の主体部４１から、一対に対向するよう屈曲して弧状に彎曲成形した作動片４ａ・４ａの遊端側の端部に衝合して支承する支承面３ａ・３ａを、それぞれ形設するが、図１１乃至図１５に示している実施例においては、中空の筒状に成形したこのバネ保持部材３の後面側（内端側）の端部に、そこを塞ぐ蓋板３３を設けて、その前面側の中心部位に、バネ保持部材３の前面側の開放口に向けて突出する支軸３４を設けて、これに、作動軸２を軸方向の摺動と回転方向の回動とが自在に行われるように軸支するようにしている。
【００２８】
作動軸２は、金属材または合成樹脂材により図１６乃至図１９にあるように、円盤状のフランジ２０の前面となる前端側（外端側）に開閉蓋ｃの回動軸部に対し嵌合して連結する角柱状の軸部２１を設け、フランジ２０の後面となる後端側（内端側）にバネ板４の一対の作動片４ａ・４ａの対向間隔内に位置さす角柱状の軸部２２を具備する形状に成形するが、それの内端側の軸部２２軸心部位には、図１９にあるよう前述のバネ保持部材３に設ける支軸３４に対し嵌合する軸穴２３が形設してあって、この軸穴２３を前述の支軸３４に嵌挿することで、図２１・図２５・図２９にあるように、支軸３４上を前後に摺動し、また、図２９乃至図３２にあるように、支軸３４中心に回動することで、弧状の作動片４ａ・４ａの対向間隔を拡縮するようにしている。
【００２９】
そしてまた、この作動軸２は、それの後端側（内端側）の軸部２２が、図６および図１６乃至図１９の各図にあるように、四つの周面のそれぞれが、後方に向かい次第に巾を縮小させるよう先細りのテーパー状に成形してあって、そのテーパー状の周面に、弧状に彎曲成形してある作動片４ａ・４ａの張出部が圧接してくることで、それの接触部位がテーパー面を先細りの側に動くようになって作動軸２を前端側（外端側）に押し出していくようにしてある。
【００３０】
このことから、この作動軸２の内端側の軸部２２を先細りのテーパー状とした実施例においては、バネ板４の一対の作動片４ａ・４ａが作動軸２を外端側に押し出すバネを兼ねたものとなって、従前手段のテーパー状のコイルバネ５を省略でき、部品点数を少なくするとともにヒンジ部材ｄの容積を小さくできるようになる。
【００３１】
また、この実施例においては、作動軸２を組み込むときに、バネ保持部材３に組み付ける前のバネ板４に対し、それの一対の作動片４ａ・４ａの拡径するよう拡いている遊端側に、作動軸２を、それの外端側の軸部２１が先になる姿勢として、図３３にあるように臨ませ、その状態から作動軸２を作動片４ａ・４ａの間隔内に差し込み、円盤状のフランジ２０が作動片４ａ・４ａに圧接したところで強く押し込めば、そのフランジ２０の後面側に続く作動軸２のテーパー状とした内端側の軸部２２の周面が弧状の作動片４ａ・４ａの張出部に圧接してくることにより、このテーパー状の軸部２２の周面によって作動軸２が前面側（外端側）に押し出され、作動軸２の外端側の軸部２１がバネ板４の主体部４ｂに開設してある透孔４２内に突入し、フランジ２０の周縁部が透孔４２の口縁に衝合して、図３４にある状態となってくるから、このバネ板４と作動軸２との組み合わせが簡単に行えるようになる。
【００３２】
そして、このように作動軸２を組み付け保持せしめた状態のバネ板４を、それの作動片４ａ・４ａが先になる姿勢として、その作動片４ａ・４ａをバネ保持部材３の前面側の開放口から挿し込んでいけば、作動軸２の内端側の軸部２２が支軸３４に嵌合し、バネ板４の作動片４ａ・４ａの遊端側のランス４１がバネ保持部材３の支承面３ａの後端側に窓穴状に形設した切欠部３ｃに係止することで、ヒンジ部材ｄに組み立てられるようになるから、組み立ても簡単な作業で行えるようになる。
【００３３】
また、この例のバネ保持部材３は、それの外周の形状を四つの周面を具備する角柱状に形成して、従前手段におけるケース１の役割を果たすようにあって、これにより、バネ保持部材３に、作動軸２をバネ板４に組み合わせた状態として、そのバネ板４を組み付けることで、ヒンジ部材ｄに組み立て、そのヒンジ部材ｄを携帯電話器Ａのボディａに設けた角穴ｅに嵌挿することによって、ケース１を省略した形態で開閉蓋ｃの軸着・連結が行えるようになる。
【００３４】
次に、図３６乃至図３９は、バネ板４の一対の作動片４ａ・４ａのバネ圧を増強させるための補助バネ板４’を示している。
【００３５】
この補助バネ板４’は、前述のバネ板４を成形するバネ性を具備する金属板を用いて、そのバネ板４と略同形に成形してあって、そのバネ板４の内面側に重合させることで、バネ板４を２層に積層して一体的に組み合わされた状態となってバネ板４の板厚を増大させ、これによりバネ性を補強したものとして用いるようにする。そして、この補助バネ板４’はランス４１を形設しない形態のものとしてある。
【００３６】
なお、前述の図２０乃至図３５に示している実施例におけるバネ板４は、この補助バネ板４’を内側に積層して２枚重ねとしたものとして用いている。
【００３７】
次に、図４０乃至図４４はバネ板４をバネ保持部材３に組み付け保持せしめる手段の別の例を示している。
【００３８】
この例におけるバネ板４は、バネ性を具備する金属板を所定形状に打ち抜き、これをコの字型に屈曲成型して一対に対向する作動片４ａ・４ａを形成し、かつ、その作動片４ａ・４ａを対向するアーチ状に彎曲成形することについては前述した実施例と同様であるが、座板状の主体部４ｂには、それから屈曲させる作動片４ａと作動片４ａとの中間となる部位に、別に主体部４ｂに対し直角よりも幾分大きい角度で屈曲する屈曲片４ｄ・４ｄを連続させて形成し、これに窓穴状の切欠穴４３を形設しておく。
【００３９】
そして、バネ保持部材３には、それの両側面に、前記屈曲片４ｄ・４ｄを嵌合させる嵌合溝３５を形設しておいて、バネ板４を、それの一対の作動片４ａ・４ａがバネ保持部材３の内腔に差し込むにそのバネ保持部材３に組み込んでいくときに、屈曲片４ｄ・４ｄがこの嵌合溝３５に嵌合するようにし、かつ、嵌合溝３５には嵌め合わせた屈曲片４ｄ・４ｄの切欠穴４３と対応する部位に、その切欠穴４３に対し嵌入する突起３６を設けておくことで、バネ板４を、それの一対の作動片４ａ・４ａの間に作動軸２を組み込み保持せしめた状態としてバネ保持部材３に組み付けるときに、この主体部４ｂの両側に袖板状に設けた屈曲片４ｄの切欠穴４３とバネ保持部材３の突起３６とが嵌合することでバネ板４の組み付け保持が行われるようにしてある。
【００４０】
この例においては、作動片４ａ・４ａの遊端側に、ランス４１を設ける必要はなく、このランス４１と係合させるよう支承面３ａの後端側に形設する切欠部３ｃも省略した形態のものとしてよい。
【００４１】
また、この例におけるバネ板４は、図４０〜図４４に示す実施においては、前述した補助バネ板４’と積層したものとして使用している。
【００４２】
【発明の効果】
以上説明したように、本発明によるハンディ式電気機器における開閉蓋のヒンジ装置は、電気機器のボディと開閉蓋とを回動自在に連結するヒンジ部材に組み付ける側面視においてコの字型のバネ板４の一対に対向する作動片４ａ・４ａを、対向側に弧状に張り出すアーチ状に成形して、このバネ板４を組み付けるバネ保持部材３に、弧状の作動片４ａ・４ａの遊端側をスライド自在に支承する支承面３ａを設けて、弧状の作動片４ａを主体部４ｂから屈曲する屈曲部４ｃと遊端との２点で支えて、作動片４ａ自体のバネ性により撓曲変形するようにしているのだから、バネ性を強くして耐久性を増大させ得るようになる。
【００４３】
また、バネ板４を組み付けるバネ保持部材３を角筒状に形成して、ヒンジ部材ｄのケースとなるようにしているのだから、部品点数を少なくし得るようになる。
【図面の簡単な説明】
【図１】携帯電話器の一部破断した斜視図である。
【図２】同上のボディと開閉蓋との間に組み付けるヒンジ部材の組み立て前の各部品の斜視図である。
【図３】同上のヒンジ部材の作動軸とバネ板とバネ保持部材とを組み付けて組み立てた中間製品の斜視図である。
【図４】同上の中間製品を角筒状のケースに収蔵さすよう組み込んで組み立てたヒンジ部材の一部破断した側面図である。
【図５】同上のヒンジ部材の斜視図である。
【図６】本発明によるヒンジ部材の組み立て前の各部品の斜視図である。
【図７】本発明によるヒンジ部材に組み込むバネ板の前面図である。
【図８】同上バネ板の側面図である。
【図９】同上バネ板の後面図である。
【図１０】同上バネ板の平面図である。
【図１１】本発明によるヒンジ部材に組み込むバネ保持部材の前面図である。
【図１２】同上のバネ保持部材の縦断側面図である。
【図１３】同上のバネ保持部材の後面図である。
【図１４】同上のバネ保持部材の横断平面図である。
【図１５】同上のバネ保持部材のバネ板を組み付ける状態を説明する縦断側面図である。
【図１６】本発明によるヒンジ部材に組み込む作動軸の前面図である。
【図１７】同上の作動軸の側面図である。
【図１８】同上の作動軸の後面図である。
【図１９】同上の作動軸の横断平面図である。
【図２０】本発明によるヒンジ部材の組み立てた状態時の前面図である。
【図２１】同上のヒンジ部材の縦断側面図である。
【図２２】同上のヒンジ部材の側面図である。
【図２３】同上のヒンジ部材の後面図である。
【図２４】同上のヒンジ部材の作動軸を押し込んだ状態時の側面図である。
【図２５】同上ヒンジ部材の同上状態時の縦断側面図である。
【図２６】同上ヒンジ部材の作動軸の外端の軸部が突出している状態時の平面図である。
【図２７】同上ヒンジ部材の同上状態時の縦断前面図である。
【図２８】同上ヒンジ部材の作動軸を略４５度回転させた状態時の前面図である。
【図２９】同上ヒンジ部材の同上状態時の縦断側面図である。
【図３０】同上ヒンジ部材の別の実施例の縦断側面図である。
【図３１】同上実施例のヒンジ部材の作動軸を略４５度回転させた状態時の縦断側面図である。
【図３２】同上実施例のヒンジ部材の作動軸を押し込んだ状態時の縦断側面図である。
【図３３】本発明によるヒンジ部材を組み立てるときのバネ板に対する作動軸の組み付け工程を説明する縦断側面図である。
【図３４】同上工程の作動軸をバネ板に組み合わせた状態時の縦断側面図である。
【図３５】同上のバネ板に組み合わせた作動軸を、バネ板と共にバネ保持部材に組み付けていく工程を説明するヒンジ部材の縦断側面図である。
【図３６】本発明によるヒンジ部材に組み込むバネ板の補強用の補助バネ板の前面図である。
【図３７】同上補助バネ板の側面図である。
【図３８】同上補助バネ板の後面図である。
【図３９】同上補助バネ板の平面図である。
【図４０】本発明手段によるヒンジ部材に組み込むバネ板の別の実施例の斜視図である。
【図４１】同上実施例のバネ板を組み付けて組み立てたヒンジ部材の側面図である。
【図４２】同上のヒンジ部材の縦断側面図である。
【図４３】同上ヒンジ部材の横断平面図である。
【図４４】同上ヒンジ部材の作動軸を略４５度回動させた状態時の縦断側面図である。
【符号の説明】
Ａ…携帯電話器、ＳＷ…スイッチ、ａ…ボディ、ｂ…操作部、ｃ…開閉蓋、ｄ…ヒンジ部材、ｅ…角穴、１…ケース、１ａ…前壁、１ｂ…ラグ片、１０…透孔、２…作動軸（アクチェータ）、２０…フランジ、２１・２２…軸部、３…バネ保持部材、３ａ…支承面、３ｂ…凹部、３ｃ…切欠部、３０…支軸、３１…組付部、３３…蓋板、３４…支軸、３５…嵌合溝、３６…突起、４…バネ板、４’…補助バネ板、４ａ…作動片、４ｂ…主体部、４ｃ…屈曲部、４ｄ…屈曲部、４０…支え部、４１…ランス、４２…透孔、４３…切欠穴、５…コイルバネ。
【図１】
2004068937.tif 000003
【図２】
2004068937.tif 000004
【図３】
2004068937.tif 000005
【図４】
2004068937.tif 000006
【図５】
2004068937.tif 000007
【図６】
2004068937.tif 000008
【図７】
2004068937.tif 000009
【図８】
2004068937.tif 000010
【図９】
2004068937.tif 000011
【図１０】
2004068937.tif 000012
【図１１】
2004068937.tif 000013
【図１２】
2004068937.tif 000014
【図１３】
2004068937.tif 000015
【図１４】
2004068937.tif 000016
【図１５】
2004068937.tif 000017
【図１６】
2004068937.tif 000018
【図１７】
2004068937.tif 000019
【図１８】
2004068937.tif 000020
【図１９】
2004068937.tif 000021
【図２０】
2004068937.tif 000022
【図２１】
2004068937.tif 000023
【図２２】
2004068937.tif 000024
【図２３】
2004068937.tif 000025
【図２４】
2004068937.tif 000026
【図２５】
2004068937.tif 000027
【図２６】
2004068937.tif 000028
【図２７】
2004068937.tif 000029
【図２８】
2004068937.tif 000030
【図２９】
2004068937.tif 000031
【図３０】
2004068937.tif 000032
【図３１】
2004068937.tif 000033
【図３２】
2004068937.tif 000034
【図３３】
2004068937.tif 000035
【図３４】
2004068937.tif 000036
【図３５】
2004068937.tif 000037
【図３６】
2004068937.tif 000038
【図３７】
2004068937.tif 000039
【図３８】
2004068937.tif 000040
【図３９】
2004068937.tif 000041
【図４０】
2004068937.tif 000042
【図４１】
2004068937.tif 000043
【図４２】
2004068937.tif 000044
【図４３】
2004068937.tif 000045
【図４４】
2004068937.tif 000046